(57)【特許請求の範囲】
【請求項１】
カット宝石のパビリオンに、高屈折率層と低屈折率層を交互に積層した光学薄膜を最外膜として形成したカット宝石を、前記カット宝石を固定して支持する支持体を介して、装身具本体に取り付けると共に前記カット宝石のパビリオンとの対向面に空間を保ちつつ反射体を備え、
前記光学薄膜は、光を分離かつ反射し、
前記反射体の前記対向面に凹面鏡が形成され、
前記カット宝石を前記反射体とは反対側から見た平面図において、前記カット宝石と前記支持体とを一体とみなしたとき、前記一体の外輪郭の外側に前記凹面鏡の一部が存在し、
前記凹面鏡と前記カット宝石のガードルとが離間している、装身具であって、
前記カット宝石と前記反射体との隙間に、前記装身具の外部から直接入射する光が、前記凹面鏡と前記光学薄膜との間で反射を繰り返して、前記隙間から前記装身具の外部に直接放出され、
前記カット宝石を平面視したとき、前記外輪郭の外側に存在する前記凹面鏡から虹色光を認識できることを特徴とする装身具。
【請求項２】
前記カット宝石を、前記支持体を介して装身具本体に取り付ける場合においては、前記凹面鏡の湾曲角度は、前記カット宝石のパビリオンの先端角度より少なくとも大きいものであることを特徴とする請求項１に記載の装身具。
【請求項３】
カット宝石のパビリオンに、高屈折率層と低屈折率層を交互に積層してなる光学薄膜を最外膜として形成し、前記カット宝石を、前記カット宝石を固定して支持する支持体を介して、装身具本体に取り付けると共に前記パビリオンとの対向面に空間を保つ反射体を備え、
前記光学薄膜を、光を分離かつ反射する膜とし、
前記反射体の前記対向面に凹面鏡を形成し、
前記カット宝石を前記反射体とは反対側から見た平面図において、前記カット宝石と前記支持体とを一体とみなしたとき、前記一体の外輪郭の外側に前記凹面鏡の一部を存在させ、
前記凹面鏡と前記カット宝石のガードルとが離間している、装身具への取り付け方法であって、
前記カット宝石と前記反射体との隙間に、前記装身具の外部から直接入射する光が、前記凹面鏡と前記光学薄膜との間で反射を繰り返して、前記隙間から前記装身具の外部に直接放出され、
前記カット宝石を平面視したとき、前記外輪郭の外側に存在する前記凹面鏡から虹色光を認識できる装身具への取り付け方法。


【発明の詳細な説明】
【技術分野】
【０００１】
本発明は、パビリオン又は底部に光学薄膜を形成し、反射光量を増大させたカット宝石又は宝石と、それを取り付ける装身具及びその取り付け方法に関する。
【背景技術】
【０００２】
通常、ダイアモンド等のカット宝石１０は、図１（ａ）に示すように、平坦なテーブル１２を有する略円錐台形状のクラウン１４と、鋭角なキューレット１６を有する略円錐形状のパビリオン１８と、このクラウン１４とパビリオン１８ンとの境界周部のガードル１９とを有している。そして、このようなカット宝石１０においては、上方からの入射光Ｘは上側表面であるテーブル１２や上側側面であるクラウン１４からカット宝石１０の内部に透過し、下側側面であるパビリオン１８や下側先端であるキューレット１６の内部で反射して、再度上側外部に放出され、宝石の輝きを生じるものとされている。
【０００３】
しかし、下方からの入射光Ｙは、かなりの量がカット宝石１０の内部に透過してしまい、パビリオン１８の表面において微量の反射光を創出するにもかかわらず、従来の装身具構造によりカット宝石１０を取り付けると、反射光は下方に放出されてしまい、その反射光が視認されることはない。したがって、カット宝石１０の輝きの一部は浪費されており、一方で、このような反射光を増量しかつ利用することができれば、カット宝石１０全体の輝きがより大きく発揮されることに間違いない。
【０００４】
ところで、基材に線材の立上り枠を固着し、この立上り枠の所定位置にダイアモンド等の貴石等からなる飾体を設け、この飾体を基材に対して一定の空間を持たせた位置に配設し、飾体に多方面からの入射光や反射光を照射するようにしたピアス等の装身具も開示されている。
【０００５】
【特許文献１】特開平９−１９１９１１号公報
【発明の開示】
【発明が解決しようとする課題】
【０００６】
しかし、前記したように、カット宝石１０のパビリオン１８の表面はそもそも光を反射させるために形成されていないから、このような構造の装身具にあっても、パビリオン１８に入射する光Ｙは、そのほとんどがカット宝石１０の内部に透過してしまい、パビリオン１８の画像を観察できるような程度のわずかな反射光は創出されても、カット宝石１０の輝き自体に寄与するまでには至らなかった。
【０００７】
そして、このような事情は、翡翠等の平坦な底部を有する宝石等においても全く同様であり、また、それらを取り付けた従来の装身具構造は、宝石の輝き自体に寄与することはできなかった。
【０００８】
本発明は、カット宝石のパビリオン又は宝石の底部における反射光を最大限に利用して、取り付けられたカット宝石等が極めて美しく輝くことができる装身具への取り付け構造及び取り付け方法を提供することを目的とする。
【課題を解決するための手段】
【０００９】
前記目的を達成するために、本発明は以下のような構成からなる。すなわち、請求項１に記載の本発明は、カット宝石のパビリオンに光学薄膜を形成し、前請求項２に記載の本発明は、宝石の底部に光学薄膜を形成し、前記底部からの反射光量を増大した宝石であることを特徴とする。本発明においては、前記光学薄膜は、高屈折率層と低屈折率層を交互に積層して形成されたものであることが好ましい。
【００１０】
また、請求項４に記載の本発明は、カット宝石のパビリオン又は宝石の底部に、高屈折率層と低屈折率層を交互に積層してなる光学薄膜を形成し、前記パビリオン又は底部からの反射光量を増大する方法であることを特徴とする。
【００１１】
さらに、請求項５に記載の本発明は、請求項１に記載のカット宝石又は請求項２に記載の宝石を枠体又は爪部により装身具本体に取り付けると共に前記カット宝石のパビリオン又は前記宝石の底部との対向面に空間を保ちつつ反射体を備えた装身具であることを特徴とする。本発明においては、前記反射体が凹面鏡をなすと共に、前記カット宝石を枠体又は爪部により装身具本体に取り付ける場合においては、該凹面鏡の湾曲角度は、前記カット宝石のパビリオンの先端角度より少なくとも大きいものであることが好ましい。
【００１２】
くわえて、請求項７に記載の本発明は、カット宝石のパビリオン又は宝石の底部に、高屈折率層と低屈折率層を交互に積層してなる光学薄膜を形成し、前記パビリオン又は前記底部との対向面に空間を保ちつつ凹面鏡をなす反射体を備えることで、前記カット宝石又は前記宝石を強く輝かせる装身具への取り付け方法であることを特徴とする。
【発明の効果】
【００１３】
本発明に係るカット宝石等によれば、従来はパビリオン等より宝石内部に透過してしまった入射光を、光学薄膜により分離、反射し、様々な色彩による強い輝きを発揮することができる。また、本発明に係る装身具におけるカット宝石等の取付け構造によれば、装身具の上部方向、側部方向からの光をパビリオン等に多量に当てることができ、反射を繰り返した後放出される虹色の反射光により、カット宝石等の輝きをさらに高めることができる。
【発明を実施するための最良の形態】
【００１４】
以下、本発明に係るカット宝石等及び装身具におけるそれらの取り付け構造の好ましい実施形態を図面により詳細に説明する。図１において、（ｂ）は、第１カット宝石を示す側面図、図２において、（ａ）は、第１カット宝石を取付けた第１装身具の正面図、（ｂ）は、その側面図、図３は、第１装身具における反射光を示す説明図である。
【００１５】
第１カット宝石２０は、例えば、ダイアモンド、合成ダイアモンド、模造ダイアモンド等の無色透明石又はルビー、サファイア、エメラルド等の有色透明石からなるものである。
【００１６】
ここで、第１カット宝石２０は、平坦なテーブル２２を有する略円錐台形状のクラウン２４と、鋭角なキューレット２６を有する略円錐形状のパビリオン２８と、このクラウン２４とパビリオン２８との境界周部のガードル２９とを有しており、カット形状自体は通常の宝石のカット形状と何ら変わりがなく、このカットは一般にラウンドブリリアントカットと呼ばれている。
【００１７】
そして、第１カット宝石２０には、パビリオン２８表面に高屈折率層と低屈折率層を交互に積層した光学薄膜３０が形成されている。この光学薄膜３０における高屈折率材料層の材料としては、例えば、TiO2やZrO2を挙げることができる。また、低屈折率材料層の材料としては、例えば、SiO2やMgF2を挙げることができる。
【００１８】
光学薄膜３０は、例えば、前記した高屈折率層と低屈折率層を１０層以上積層し、その厚みを１２５〜１５０ナノ程度にすることにより、通常のカット宝石では透過してしまう光をパビリオン２８表面で反射することが可能となる。なお、この場合でも、第１カット宝石２０の全体的な外観に大きな変化が生ずることはなく、もちろん宝石としての美感が損なわれるわけではない。
【００１９】
このような光学薄膜を形成する方法には、膜厚の制御性、品質安定性などから一般的には真空蒸着法やスパッタリング法などのドライ成膜法が好ましいが、必ずしもドライ成膜法に限られるわけではなく、要求性能が満足されれば、スプレー法、ディップ法、流し塗り法などのウェット成膜法であっても良いのはもちろんである。
【００２０】
第１カット宝石２０は、従来であればパビリオン２８の表面に当たり、かなりの量が宝石内部に透過してしまった下方からの入射光Ｙを、パビリオン２８表面で反射することができる。このことは、第１カット宝石２０を、フェイスダウン方向（テーブルを下にした方向）に載置して観察すると、光学薄膜３０を形成する以前と比べ大きな輝きを発揮することにより確認できる。
【００２１】
なお、このような光学薄膜３０は、半永久的に剥離することなく、第１カット宝石２０の輝きを高めることができるばかりか、例えば、キュービックジルコニアのような、ダイアモンドに比べてある程度硬度が劣る模造ダイアモンドに形成すると、そもそも光学薄膜３０の有する保護機能により、パビリオン２８表面の磨耗を防止でき、結果として第１カット宝石２０が最も輝く最終研磨状態を長期間保つことができるという効果も有する。
【００２２】
次に、第１カット宝石２０を装身具に取り付ける方法について説明する。第１装身具３２の本体３３は、いわゆるペンダント形状をなし、例えば、プラチナ、金、シルバー、真鍮等の金属素材を使用し、ロストワックスキャスティングやプレス切断加工により製造される。ガードル２９に巻装して、第１カット宝石２０を支持するループ状の枠体３４と、その枠体３４の上方には、小径の環体３６が固着され、環体３６は一方で本体３３に取り付けられた別の環体３６と連結され、第１カット宝石２０は本体３３に揺動可能に吊り下げられる。
【００２３】
ここで、本体３３は、パビリオン２８と対向する面において、適当な距離による空間を確保しつつ、反射体３８を形成している。反射体３８の外形は、正面から見た場合には、第１カット宝石２０の外周全体を包み込むように略円形であり、また、側面から見た場合には凹形状を有する。
【００２４】
また、反射体３８は、本体３３の表面を研磨することで凹面鏡となっており、第１装身具３２はパビリオン２８で反射された光をさらに反射することができる。なお、必要である場合には、ステンレス等を素材とする球面の一部を切り取ったある程度の厚みを有する別部材を第１装身具３２の本体３３に溶接等して取り付け、反射体３８とすることもできる。
【００２５】
反射体３８の湾曲角度につき特に限定はないが、第１カット宝石２０のパビリオン２８の先端角度よりも少なくとも大きいこと、例えば、アイデアルカットのダイアモンドを第１カット宝石２０に使用する場合には、９８．５度以上の湾曲角度であることが好ましい。湾曲角度が急である場合には、反射体３８により集光できる入射光の範囲は狭くなり、全体光量が減少するばかりか、入射光が凹面鏡で収束する傾向となる。宝石の輝きを発揮するためにはより分散光がパビリオン２８表面に多量に当たることが好ましいからである。
【００２６】
このような第１装身具３２をネックレスチェーン３９等に吊り下げて着用すると、上部方向や側部方向からの入射光Ａ、Ｂが反射体３８で集光、反射され、第１カット宝石２０のパビリオン２８に多量に当たる。さらに、それらの光は光学薄膜３０によりパビリオン２８表面の位置で分離かつ再反射され、何回かの反射を繰り返して外部に放出されることになり、多量の反射光Ａ‘、Ｂ’が創出される。一般には、光が分離、反射される度に、虹色光を創出するといわれているので、その意味においても、第１カット宝石２０は、宝石の重要な輝きであるディスパージョン（虹色光）を強く放ち、従来のカット宝石よりも極めて美しく輝くことができる。
【００２７】
図４において、（ａ）は、第１カット宝石を取付けた第２装身具の平面図、（ｂ）は、その側部方向断面図である。
【００２８】
本実施例において第１カット宝石２０は、前記同様であるので、ここでは説明を省略する。
【００２９】
第２装身具４２の本体４３は、いわゆる指輪形状をなし、第１装身具３２と同様の素材、方法により製造される。大径のリング４４（全部図示せず。）の上方には、ガードル２９に当接すると共にクラウン２４を押圧して、第１カット宝石２０を支持する柱状の４本の爪部４６が突設されているが、もちろんこのような爪部４６の形状、本数に限定はない。第２装身具４２は、手指をリング４４内に通して着用するもので、第１カット宝石２０はリング４４の上方に固定される。
【００３０】
そして、第２装身具４２においても、第１カット宝石２０のパビリオン２８と対向する面には、適当な距離による空間を確保しつつ、反射体４８が取り付けられている。反射体４８は、前記同様に表面が研磨された凹面鏡を形成している。なお、本実施例における反射体４８の平面形状は、いわゆる花弁形であって装身具のデザイン的として美しいものである。
【００３１】
このような第２装身具４２を手指に着用すると、前記同様に反射体４８の作用で第１カット宝石２０のパビリオン２８には上部及び側部からの光が多量に当接する。さらに、それらの光は光学薄膜３０の作用によりパビリオン２８の表面で反射され、多量の反射光が創出され第１カット宝石２０の輝きを著しく高めることができる。
【００３２】
図５において、（ａ）は、第２カット宝石を取付けた第３装身具の平面図、（ｂ）は、その側部方向断面図である。
【００３３】
第２カット宝石５０は、第１カット宝石２０と同様に、ダイアモンド等の無色透明石又はルビー等の有色透明石であるが、平坦なテーブル５２を有する略三角錐台形状のクラウン５４と、鋭角なキューレット５６を有する略三角錐形状のパビリオン５８と、このクラウン５４とパビリオン５８との境界周面の帯状のガードルとを有し（ここでは図示せず。）、カット形状そのものはいわゆるトライアングルカットと呼ばれる宝石の一般的なカット形状と何ら変わりがない。
【００３４】
そして、第２カット宝石５０においても、パビリオン５８表面に高屈折率層と低屈折率層を交互に積層した光学薄膜６０が形成されている。光学薄膜６０の素材やその形成方法は第１カット宝石２０と全く同様である。
【００３５】
第３装身具６２の本体６３は、いわゆるピアス形状をなし、第１装身具３２と同様の素材、方法により製造される。宝石のガードルに巻装して、第２カット宝石５０を支持する三角ループ状の枠体６４と、その枠体６４の後方には、細線による棒体６６が固着され、棒体６６には装着時に耳たぶに押さえつけるためのキャッチが挿入される（ここでは図示せず。）。
【００３６】
そして、第３装身具６２においても、第２カット宝石５０のパビリオン５８と対向する面には、適当な距離による空間を確保しつつ、反射体６８が形成される。反射体６８は、前記同様に表面が研磨された凹面鏡を形成している。なお、本実施例における反射体６８の平面形状は、第２カット宝石５０の外周全体を取り囲むような三角形状で、装身具のワンポイントとしても美しいものである。
【００３７】
このような第３装身具６２を着用すると、前記同様に反射体６８の作用で第２カット宝石５０のパビリオン５８には上部及び側部からの光が多量に当たる。さらに、それらの光は光学薄膜の作用によりパビリオン５８の表面で反射、分離され、多量の反射光、分散光が創出され第２カット宝石５０の輝きを著しく高めることができる。
【００３８】
図６において、（ａ）は、第１宝石を取付けた第４装身具の平面図、（ｂ）は、その側部方向断面図である。
【００３９】
第１宝石７０は、例えば、ムーストーン等の有色半透明石や翡翠等の有色不透明石を使用したものであり、上方に湾曲したドーム形状を有し、底部は平坦な面であり、カット形状そのものはいわゆるカボションカットと呼ばれる一般的なカット形状と何ら変わりがないが、第１宝石７０の形状は、このカボションカットに限定されるわけではないのはもちろんである。
【００４０】
そして、第１宝石７０においても、底部７２に高屈折率層と低屈折率層を交互に積層した光学薄膜７４が形成されている。光学薄膜７４の素材やその形成方法は第１カット宝石２０と全く同様である。
【００４１】
第４装身具７６の本体７８は、木の葉をあしらったデザインによるいわゆるブローチ形状をなし、第１装身具３２と同様の素材、方法により製造される。第１宝石７０の周部７３に巻装して、第１宝石７０を支持するループ状の枠体８０と、本体７８から上方に突設される支柱８２が枠体８０に固着することで、第１宝石７０は本体７８に取り付けられる。
【００４２】
そして、第４装身具７６においても、第１宝石７０の底部７２と対向する面には、適当な距離による空間を確保しつつ、反射体８４が設けられる。反射体８４は、前記同様に表面が研磨された凹面鏡を形成している。
【００４３】
このような第４装身具７６を着用すると、前記同様に反射体８４の作用で第１宝石７０の底部７２には上部及び側部からの光が多量に当たる。さらに、それらの光は光学薄膜７４の作用により底部７２の表面で反射され、かつ反射体８４で反射されるので、多量の反射光が創出され第１宝石７０の輝きを著しく高めることができる。
【００４４】
図７において、（ａ）は、第２宝石を取付けた第５装身具の一部分を示す平面図、（ｂ）は、その断面図である。
【００４５】
第２宝石９０は、例えば、真珠等の有色不透明石を使用したものであり、全体形状が球体である。
【００４６】
そして、第２宝石９０においても、底部９２に高屈折率層と低屈折率層を交互に積層した光学薄膜９４が形成されている。光学薄膜９４の素材やその形成方法は第１カット宝石２０と全く同様である。
【００４７】
第５装身具９６の本体９８は、いわゆるブレスレット形状をなし、第１装身具３２と同様の素材、方法により製造される。第２宝石９０は、底部９２に取り付け穴が開口され（図示せず。）、本体９８から上方に突設される支柱１００を取り付け穴に挿入、接着することで、第２宝石９０は本体９８に取り付けられる。
【００４８】
そして、第５装身具９６においても、第２宝石９０の底部９２と対向する面には、適当な距離による空間を確保しつつ、反射体１０２が形成される。反射体１０２は、前記同様に表面が研磨された凹面鏡を形成している。
【００４９】
このような第５装身具９６を着用すると、前記同様に反射体１０２の作用で第２宝石９０の底部９２に上部及び側部からの光が多量に当たる。さらに、それらの光は光学薄膜９４の作用により底部９２の表面で反射され、多量の反射光が創出され第２宝石９０の輝きを著しく高めることができる。
【００５０】
上記の如く本発明をいくつかの実施例によって説明したが、それらを以って本発明を前記実施例のみに限定するものでなく、この発明の精神を逸脱しない限り種々の改変を加えて、多種多様の変更ができることはいうまでもない。本発明は、反射体が取り付けられるものであれば、どのようなタイプの装身具についても適用可能であり、カット宝石や宝石の形状にも特に限定はない。よって、イアリング、タイタック等の他の装身具、オーバルミックスカット、ハートシェイプカット、ペアシェイプカットの他のカット宝石や宝石にも適用可能である。
【図面の簡単な説明】
【００５１】
【図１】（ａ）は、従来のカット宝石を示す側面図、（ｂ）は、第１カット宝石を示す側面図である。
【図２】（ａ）は、第１カット宝石を取付けた第１装身具の正面図、（ｂ）は、その側面図である。
【図３】第１装身具における反射光を示す説明図である。
【図４】（ａ）は、第１カット宝石を取付けた第２装身具の平面図、（ｂ）は、その側部方向断面図である。
【図５】（ａ）は、第２カット宝石を取付けた第２装身具の平面図、（ｂ）は、その側部方向断面図である。
【図６】（ａ）は、第１宝石を取付けた第４装身具の平面図、（ｂ）は、その側部方向断面図である。
【図７】（ａ）は、第２宝石を取付けた第５装身具の一部分を示す平面図、（ｂ）は、その断面図である。
【符号の説明】
【００５２】
１０  カット宝石
１２  テーブル
１４  クラウン
１６  キューレット
１８  パビリオン
１９  ガードル
２０  第１カット宝石
２２  テーブル
２４  クラウン
２６  キューレット
２８  パビリオン
２９  ガードル
３０  光学薄膜
３２  第１装身具
３３  本体
３４  枠体
３６  環体
３８  反射体
４２  第２装身具
４３  本体
４４  リング
４６  爪部
４８  反射体
５０  第２カット宝石
５２  テーブル
５４  クラウン
５６  キューレット
５８  パビリオン
５９  ガードル
６０  光学薄膜
６２  第３装身具
６３  本体
６４  枠体
６６  棒体
６８  反射体
７０  第１宝石
７２  底部
７３  周部
７４  光学薄膜
７６  第４装身具
７８  本体
８０  枠体
８２  支柱
８４  反射体
９０  第２宝石
９２  底部
９４  光学薄膜
９６  第５装身具
９８  本体
１００  支柱
１０２  反射体
【図１】
0005183129.tif 000002
【図２】
0005183129.tif 000003
【図３】
0005183129.tif 000004
【図４】
0005183129.tif 000005
【図５】
0005183129.tif 000006
【図６】
0005183129.tif 000007
【図７】
0005183129.tif 000008